(57)【特許請求の範囲】
【請求項１】
音響信号に対するフィルタ処理に用いられるフィルタの周波数特性に基づいて、当該フィルタの周波数特性においてゲインが最も高い部分を水平直線によって近似的に示した天井部と、前記フィルタの周波数特性における立ち上がり状態あるいは立ち下がり状態を傾斜直線により近似的に示したスロープ部とによって形成される台形図形を作成する台形図形作成手段と、
該台形図形作成手段により作成された前記台形図形を表示させる表示手段と、
該表示手段に表示された前記台形図形に対するタップ操作およびドラッグ操作を検出するタッチ操作検出手段と、
前記台形図形作成手段によって作成された前記台形図形に基づいて、前記フィルタ処理に用いられる前記フィルタに関するフィルタ特性を決定するフィルタ特性決定手段と、
を有し、
前記タッチ操作検出手段により、前記台形図形の前記天井部と前記スロープ部とが連結された角部に対するタップ操作が検出され、その直後に、前記スロープ部に対するドラッグ操作が検出された場合に、
前記台形図形作成手段は、前記ドラッグ操作に連動させて、前記角部を基準として前記スロープ部の傾斜角度を変更させた台形図形を作成すると共に、前記表示手段は、変更された前記台形図形を表示し、
前記フィルタ特性決定手段は、前記ドラッグ操作に伴って変更された前記スロープ部の傾斜角度に基づいて、前記フィルタ処理に用いられる前記フィルタのフィルタ係数を決定する
ことを特徴とするフィルタ特性決定装置。
【請求項２】
前記タッチ操作検出手段により、前記スロープ部に対するタップ操作が検出され、その直後に、当該スロープ部に対するドラッグ操作が検出された場合に、
前記台形図形作成手段は、前記天井部のゲインおよび前記スロープ部の傾斜角度を維持したまま、前記角部の周波数位置を前記スロープ部に対する前記ドラッグ操作に伴って変更させた台形図形を作成すると共に、前記表示手段は、変更された前記台形図形を表示し、
前記フィルタ特性決定手段は、前記ドラッグ操作に伴って変更された前記角部の周波数位置に基づいて、前記フィルタ処理に用いられる前記フィルタのカットオフ周波数を決定する
ことを特徴とする請求項１に記載のフィルタ特性決定装置。
【請求項３】
前記タッチ操作検出手段により、前記天井部に対するタップ操作が検出され、その直後に、当該天井部に対するドラッグ操作が検出された場合に、
前記台形図形作成手段は、前記天井部のゲインの高さを前記ドラッグ操作に伴って変更させた台形図形を作成すると共に、前記表示手段は、変更された前記台形図形を表示し、
前記フィルタ特性決定手段は、前記ドラッグ操作に伴って変更された前記天井部のゲインの高さに基づいて、前記フィルタ処理に用いられる前記フィルタのゲインを決定する
ことを特徴とする請求項１又は請求項２に記載のフィルタ特性決定装置。
【請求項４】
前記フィルタ処理に用いることが可能な複数のフィルタの周波数特性が記録されるフィルタ記録手段を有し、
前記フィルタ特性決定手段は、前記フィルタ記録手段に記録される前記複数のフィルタの周波数特性の中から、前記台形図形作成手段により作成された前記台形図形の前記スロープ部における立ち上がり状態あるいは立ち下がり状態に近い周波数特性を備えたフィルタを検出することにより、前記フィルタ処理に用いられる前記フィルタのフィルタ係数を決定すること
を特徴とする請求項１乃至請求項３のいずれか１項に記載のフィルタ特性決定装置。
【請求項５】
音響信号に対するフィルタ処理に用いられるフィルタのフィルタ特性を決定するためのフィルタ特性決定装置におけるフィルタ特性決定プログラムであって、
前記フィルタ特性決定装置のコンピュータに、  
前記フィルタの周波数特性に基づいて、当該フィルタの周波数特性においてゲインが最も高い部分を水平直線によって近似的に示した天井部と、前記フィルタの周波数特性における立ち上がり状態あるいは立ち下がり状態を傾斜直線により近似的に示したスロープ部とによって形成される台形図形を作成させる台形図形作成機能と、
該台形図形作成機能によって作成された前記台形図形を表示手段に表示させる台形図形表示機能と、
該台形図形表示機能によって前記表示手段に表示された前記台形図形に対するタップ操作およびドラッグ操作を、タッチ操作検出手段を用いて検出させるタッチ操作検出機能と、
前記台形図形作成機能によって作成された前記台形図形に基づいて、前記フィルタ処理に用いられる前記フィルタのフィルタ特性を決定させるフィルタ特性決定機能と
を実現させることが可能であって、
前記タッチ操作検出機能において、前記タッチ操作検出手段により、前記台形図形の前記天井部と前記スロープ部とが連結された角部に対するタップ操作が検出され、その直後に、前記スロープ部に対するドラッグ操作が検出された場合に、
前記台形図形作成機能において、前記ドラッグ操作に連動させて、前記角部を基準として前記スロープ部の傾斜角度を変更させた台形図形を作成すると共に、前記台形図形表示機能において、変更された前記台形図形を前記表示手段に表示させ、
前記フィルタ特性決定機能において、前記ドラッグ操作に伴って変更された前記スロープ部の傾斜角度に基づいて、前記フィルタ処理に用いられる前記フィルタのフィルタ係数を決定させる
ことが可能なフィルタ特性決定装置におけるフィルタ特性決定プログラム。
【請求項６】
前記タッチ操作検出機能において、前記タッチ操作検出手段により、前記スロープ部に対するタップ操作が検出され、その直後に、当該スロープ部に対するドラッグ操作が検出された場合に、
前記フィルタ特性決定装置の前記コンピュータに対し、
前記台形図形作成機能において、前記天井部のゲインおよび前記スロープ部の傾斜角度を維持したまま、前記角部の周波数位置を前記スロープ部に対する前記ドラッグ操作に伴って変更させた台形図形を作成させると共に、前記台形図形表示機能において、変更された前記台形図形を前記表示手段に表示させ、
前記フィルタ特性決定機能において、前記ドラッグ操作に伴って変更された前記角部の周波数位置に基づいて、前記フィルタ処理に用いられる前記フィルタのカットオフ周波数を決定させる
ことが可能な請求項５に記載のフィルタ特性決定装置におけるフィルタ特性決定プログラム。
【請求項７】
前記タッチ操作検出機能において、前記タッチ操作検出手段により、前記天井部に対するタップ操作が検出され、その直後に、当該天井部に対するドラッグ操作が検出された場合に、
前記フィルタ特性決定装置の前記コンピュータに対し、
前記台形図形作成機能において、前記天井部のゲインの高さを前記ドラッグ操作に伴って変更させた台形図形を作成させると共に、前記台形図形表示機能において、変更された前記台形図形を前記表示手段に表示させ、
前記フィルタ特性決定機能において、前記ドラッグ操作に伴って変更された前記天井部のゲインの高さに基づいて、前記フィルタ処理に用いられる前記フィルタのゲインを決定させる
ことが可能な請求項５又は請求項６に記載のフィルタ特性決定装置におけるフィルタ特性決定プログラム。
【請求項８】
前記フィルタ特性決定装置の前記コンピュータに対し、
前記フィルタ特性決定機能において、前記フィルタ処理に用いることが可能な複数のフィルタの周波数特性が記録されるフィルタ記録手段の中から、前記台形図形作成機能において作成された前記台形図形の前記スロープ部における立ち上がり状態あるいは立ち下がり状態に近い周波数特性を備えたフィルタを検出することにより、前記フィルタ処理に用いられる前記フィルタのフィルタ係数を決定させる
ことが可能な請求項５乃至請求項７のいずれか１項に記載のフィルタ特性決定装置におけるフィルタ特性決定プログラム。
【発明の詳細な説明】
【技術分野】
【０００１】
本発明はフィルタ特性決定装置およびフィルタ特性決定プログラムに関し、より詳細には、音響信号に対するフィルタ処理に用いられるフィルタのフィルタ特性を、タッチ操作を用いて決定・変更することが可能なフィルタ特性決定装置およびフィルタ特性決定プログラムに関する。
【背景技術】
【０００２】
従来より、最適な出力帯域がそれぞれ異なっている複数のスピーカを用いて、異なる帯域の音響信号を出力させることにより、高音質の音響再生を行うことが可能なマルチスピーカシステムが知られている（例えば、特許文献１参照）。
【０００３】
マルチスピーカシステムでは、高音質な音響再生を実現するために、音源から出力される音響信号を、各スピーカに最適な周波数帯域に分割する。また、マルチスピーカシステムでは、音響信号を分割する場合に、一のスピーカより出力される音響信号の高域側の周波数帯域あるいは低域側の周波数帯域が、他のスピーカより出力される音響信号の低域側の周波数帯域あるいは高域側の周波数帯域に重ね合わされるように分割する。このように、一のスピーカで出力される音響信号の高域側の周波数帯域あるいは低域側の周波数帯域を、他のスピーカで出力される音響信号の高域側の周波数帯域あるいは低域側の周波数帯域に重ね合わせる処理を、クロスオーバー処理という。
【０００４】
音源の音響信号に対してクロスオーバー処理を施すことにより、スピーカユニット毎に最適な周波数帯域で音響再生を行うことが可能になると共に、複数のスピーカより出力される音響信号に周波数的な繋がり生じて、音の広がりや一体感を高めることが可能になる。
【０００５】
マルチスピーカシステムでは、クロスオーバー処理を行うために、音源の音響信号より各スピーカの出力に適した周波数帯域を抽出する処理を行う。具体的には、音源の音響信号に対して、ハイパスフィルタ処理およびローパスフィルタ処理を行うことによって、各スピーカの出力に適した周波数帯域（周波数範囲）の抽出を行う。
【０００６】
上述したように、音響信号に対してハイパスフィルタ処理およびローパスフィルタ処理を行う場合には、音響再生を行う音響環境に応じて、フィルタのゲイン設定を調整したり、フィルタにおける立ち上がり状態および立ち下がり状態（この立ち上がり特性および立ち下がり特性をスロープ特性という）を調整したりすることが望まれている。このような要望に対応するために、マルチスピーカシステムにおいて複数のフィルタを用意して、ユーザの好みに応じてフィルタの選択および変更を行うことが可能となっている。
【０００７】
しかしながら、フィルタ処理に用いられるフィルタ特性は、各スピーカにおいて最適な周波数帯域が異なることから、フィルタの選択の種類が多くなり、ユーザが簡単に選択することが難しかった。さらに、フィルタを選択するためには、フィルタにおけるゲインの設定、ハイパスフィルタのカットオフ周波数の設定、ローパスフィルタのカットオフ周波数の設定、ハイパスフィルタにおけるスロープ特性の設定、ローパスフィルタにおけるスロープ特性の設定を決定しなければならないため、ユーザがこれらの設定を簡単に行うことが難しいという問題があった。
【０００８】
このような問題に対応するために、音響用のパラメータの大きさを示す図形をタッチパネルに表示させ、タッチパネルへのピンチインやピンチアウト操作によって、パラメータの大きさを変更させた後に、変更されたパラメータに応じた図形を表示させる音響装置が提案されている（例えば、特許文献２参照）。
【０００９】
上述した音響装置では、クロスオーバー機能のパラメータをタッチパネルの表示画面に表示させて、ピンチイン操作またはピンチアウト操作、ドラッグ操作またはフリック操作によって、パラメータを変更することを特徴としている。具体的には、近接する２つのスロープの傾斜を、ピンチイン操作またはピンチアウト操作によって、同じ比率で一体にして変更する方法が示されている。また、２つのスロープが交差するポイントＣＰ位置を、ドラッグ操作またはフリック操作によって変更することにより、２つのスロープの傾斜角度を変えることなく、２つのスロープが交差するポイントＣＰの周波数だけを変更させる方法が示されている。
【先行技術文献】
【特許文献】
【００１０】
【特許文献１】特許第４３６４５９８号明細書
【特許文献２】特開２０１３−１１０５６８公報
【発明の概要】
【発明が解決しようとする課題】
【００１１】
上述した音響装置では、タッチパネルの表示画面上に表示されるパラメータを、ピンチイン操作またはピンチアウト操作、ドラッグ操作またはフリック操作を、一度行うだけで簡単に変更させることを特徴としている。このため、一度の操作で簡単に変更することが可能なように、隣接する２つのスロープ等を一体に変更させる方法しか提案されていない。例えば、２つのスロープの傾斜を２つのスロープで一体に変更する場合や、２つのスロープの傾斜角度を変えることなく交差するポイントＣＰだけを一体に変更する場合などしか、提案されていない。
【００１２】
このため、スピーカ毎に個別にスロープの傾きを変更したり、スピーカ毎に個別にスロープの傾きの始点（カットオフ周波数）を変更したりするように、スピーカ毎に異なるフィルタのフィルタ特性を決定・変更することができなかった。具体的には、フィルタにおけるゲインの設定、ハイパスフィルタのカットオフ周波数の設定、ローパスフィルタのカットオフ周波数の設定、ハイパスフィルタにおけるスロープ特性の設定、ローパスフィルタにおけるスロープ特性の設定などを、フィルタ毎に個別に決定することができないという問題があった。
【００１３】
また、上述した音響装置では、タッチパネルへのピンチイン操作やピンチアウト操作によって、パラメータの大きさを変更させた後に、変更されたパラメータに応じた図形を表示させることを特徴としている。このため、図形そのものを変更させることによってパラメータを変更・決定するものでなかった。従って、パラメータが変更された後の状態を、図形によって確認することは可能であっても、ユーザが直感的に図形そのものを変更することによって、パラメータの変更・決定を行うことができなかった。
【００１４】
本発明は、上記課題に鑑みてなされたものであり、各スピーカのフィルタ特性を変更・選択するために、表示手段に表示される図形をタッチ操作することによって、フィルタ毎のフィルタ特性を個別に決定することが可能なフィルタ特性決定装置およびフィルタ特性決定プログラムを提供することを課題とする。
【課題を解決するための手段】
【００１５】
上記課題を解決するために、本発明に係るフィルタ特性決定装置は、音響信号に対するフィルタ処理に用いられるフィルタの周波数特性に基づいて、当該フィルタの周波数特性においてゲインが最も高い部分を水平直線によって近似的に示した天井部と、前記フィルタの周波数特性における立ち上がり状態あるいは立ち下がり状態を傾斜直線により近似的に示したスロープ部とによって形成される台形図形を作成する台形図形作成手段と、該台形図形作成手段により作成された前記台形図形を表示させる表示手段と、該表示手段に表示された前記台形図形に対するタップ操作およびドラッグ操作を検出するタッチ操作検出手段と、前記台形図形作成手段によって作成された前記台形図形に基づいて、前記フィルタ処理に用いられる前記フィルタに関するフィルタ特性を決定するフィルタ特性決定手段とを有し、前記タッチ操作検出手段により、前記台形図形の前記天井部と前記スロープ部とが連結された角部に対するタップ操作が検出され、その直後に、前記スロープ部に対するドラッグ操作が検出された場合に、前記台形図形作成手段は、前記ドラッグ操作に連動させて、前記角部を基準として前記スロープ部の傾斜角度を変更させた台形図形を作成すると共に、前記表示手段は、変更された前記台形図形を表示し、前記フィルタ特性決定手段は、前記ドラッグ操作に伴って変更された前記スロープ部の傾斜角度に基づいて、前記フィルタ処理に用いられる前記フィルタのフィルタ係数を決定することを特徴とする。
【００１６】
また、上述したフィルタ特性決定装置は、前記タッチ操作検出手段により、前記スロープ部に対するタップ操作が検出され、その直後に、当該スロープ部に対するドラッグ操作が検出された場合に、前記台形図形作成手段は、前記天井部のゲインおよび前記スロープ部の傾斜角度を維持したまま、前記角部の周波数位置を前記スロープ部に対する前記ドラッグ操作に伴って変更させた台形図形を作成すると共に、前記表示手段は、変更された前記台形図形を表示し、前記フィルタ特性決定手段は、前記ドラッグ操作に伴って変更された前記角部の周波数位置に基づいて、前記フィルタ処理に用いられる前記フィルタのカットオフ周波数を決定するものであってもよい。
【００１７】
また、上述したフィルタ特性決定装置は、前記タッチ操作検出手段により、前記天井部に対するタップ操作が検出され、その直後に、当該天井部に対するドラッグ操作が検出された場合に、前記台形図形作成手段は、前記天井部のゲインの高さを前記ドラッグ操作に伴って変更させた台形図形を作成すると共に、前記表示手段は、変更された前記台形図形を表示し、前記フィルタ特性決定手段は、前記ドラッグ操作に伴って変更された前記天井部のゲインの高さに基づいて、前記フィルタ処理に用いられる前記フィルタのゲインを決定するものであってもよい。
【００１８】
また、本発明に係るフィルタ特性決定装置におけるフィルタ特性決定プログラムは、音響信号に対するフィルタ処理に用いられるフィルタのフィルタ特性を決定するためのフィルタ特性決定装置におけるフィルタ特性決定プログラムであって、前記フィルタ特性決定装置のコンピュータに、前記フィルタの周波数特性に基づいて、当該フィルタの周波数特性においてゲインが最も高い部分を水平直線によって近似的に示した天井部と、前記フィルタの周波数特性における立ち上がり状態あるいは立ち下がり状態を傾斜直線により近似的に示したスロープ部とによって形成される台形図形を作成させる台形図形作成機能と、該台形図形作成機能によって作成された前記台形図形を表示手段に表示させる台形図形表示機能と、該台形図形表示機能によって前記表示手段に表示された前記台形図形に対するタップ操作およびドラッグ操作を、タッチ操作検出手段を用いて検出させるタッチ操作検出機能と、前記台形図形作成機能によって作成された前記台形図形に基づいて、前記フィルタ処理に用いられる前記フィルタのフィルタ特性を決定させるフィルタ特性決定機能とを実現させることが可能であって、前記タッチ操作検出機能において、前記タッチ操作検出手段により、前記台形図形の前記天井部と前記スロープ部とが連結された角部に対するタップ操作が検出され、その直後に、前記スロープ部に対するドラッグ操作が検出された場合に、前記台形図形作成機能において、前記ドラッグ操作に連動させて、前記角部を基準として前記スロープ部の傾斜角度を変更させた台形図形を作成すると共に、前記台形図形表示機能において、変更された前記台形図形を前記表示手段に表示させ、前記フィルタ特性決定機能において、前記ドラッグ操作に伴って変更された前記スロープ部の傾斜角度に基づいて、前記フィルタ処理に用いられる前記フィルタのフィルタ係数を決定させることが可能なプログラムであることを特徴とする。
【００１９】
また、上述したフィルタ特性決定装置におけるフィルタ特性決定プログラムは、前記タッチ操作検出機能において、前記タッチ操作検出手段により、前記スロープ部に対するタップ操作が検出され、その直後に、当該スロープ部に対するドラッグ操作が検出された場合に、前記フィルタ特性決定装置の前記コンピュータに対し、前記台形図形作成機能において、前記天井部のゲインおよび前記スロープ部の傾斜角度を維持したまま、前記角部の周波数位置を前記スロープ部に対する前記ドラッグ操作に伴って変更させた台形図形を作成させると共に、前記台形図形表示機能において、変更された前記台形図形を前記表示手段に表示させ、前記フィルタ特性決定機能において、前記ドラッグ操作に伴って変更された前記角部の周波数位置に基づいて、前記フィルタ処理に用いられる前記フィルタのカットオフ周波数を決定させることが可能なプログラムであってもよい。
【００２０】
さらに、上述したフィルタ特性決定装置におけるフィルタ特性決定プログラムは、前記タッチ操作検出機能において、前記タッチ操作検出手段により、前記天井部に対するタップ操作が検出され、その直後に、当該天井部に対するドラッグ操作が検出された場合に、前記フィルタ特性決定装置の前記コンピュータに対し、前記台形図形作成機能において、前記天井部のゲインの高さを前記ドラッグ操作に伴って変更させた台形図形を作成させると共に、前記台形図形表示機能において、変更された前記台形図形を前記表示手段に表示させ、前記フィルタ特性決定機能において、前記ドラッグ操作に伴って変更された前記天井部のゲインの高さに基づいて、前記フィルタ処理に用いられる前記フィルタのゲインを決定させることが可能なプログラムであってもよい。
【００２１】
ここで、フィルタ特性とは音響信号に対してフィルタ処理を行うために設定すべきパラメータを意味しており、例えば、ゲイン、カットオフ周波数、フィルタ係数等が該当する。また、上述した台形図形は、天井部と、立ち上がり状態あるいは立ち下がり状態を示した少なくとも１つのスロープ部とを有していればよい。
【００２２】
本発明に係るフィルタ特性決定装置およびフィルタ特性決定プログラムでは、表示手段に表示される台形図形の天井部、スロープ部あるいは角部をタップ操作またはドラッグ操作することによって、フィルタ処理に用いられるフィルタで設定されるゲイン、カットオフ周波数またはフィルタ係数を簡単に決定・変更することができる。
【００２３】
さらに、本発明に係るフィルタ特性決定装置およびフィルタ特性決定プログラムでは、ドラッグ操作に応じて台形図形を変更させると、変更に伴ってフィルタのゲイン、カットオフ周波数またはフィルタ係数を変更することができる。このため、表示手段に表示される台形図形を変更することにより、ユーザが直感的にフィルタ特性を変更できるだけでなく、フィルタ特性の変更を台形図形の変化により視覚的に確認できる。さらに、スピーカ等より出力される音響信号音によって聴覚的に確認することが可能になる。
【００２４】
また、台形図形は、１つのフィルタのフィルタ特性を示しているため、台形図形の天井部やスロープ部等をタップ操作およびドラッグ操作によって変更することにより、該当する１つのフィルタにおける、ゲイン、フィルタのカットオフ周波数、フィルタにおけるスロープ特性を示すフィルタ係数等を個別に決定・変更することが可能になる。
【００２５】
また、上述したフィルタ特性決定装置は、前記フィルタ処理に用いることが可能な複数のフィルタの周波数特性が記録されるフィルタ記録手段を有し、前記フィルタ特性決定手段は、前記フィルタ記録手段に記録される前記複数のフィルタの周波数特性の中から、前記台形図形作成手段により作成された前記台形図形の前記スロープ部における立ち上がり状態あるいは立ち下がり状態に近い周波数特性を備えたフィルタを検出することにより、前記フィルタ処理に用いられる前記フィルタのフィルタ係数を決定するものであってもよい。
【００２６】
さらに、上述したフィルタ特性決定装置におけるフィルタ特性決定プログラムは、前記フィルタ特性決定装置の前記コンピュータに対し、前記フィルタ特性決定機能において、前記フィルタ処理に用いることが可能な複数のフィルタの周波数特性が記録されるフィルタ記録手段の中から、前記台形図形作成機能において作成された前記台形図形の前記スロープ部における立ち上がり状態あるいは立ち下がり状態に近い周波数特性を備えたフィルタを検出することにより、前記フィルタ処理に用いられる前記フィルタのフィルタ係数を決定させることが可能なプログラムであってもよい。
【００２７】
本発明に係るフィルタ特性決定装置およびフィルタ特性決定プログラムでは、フィルタ処理に用いることが可能な複数のフィルタの周波数特性が予めフィルタ記録手段に記録されており、フィルタ特性決定手段が、フィルタ記録手段に記録される複数の周波数特性の中から、作成された台形図形の形状から求められる周波数特性に近い周波数特性を検出して、フィルタ処理に用いられるフィルタのフィルタ係数を決定することができる。このため、ドラッグ操作に応じて台形図形が変更される場合であっても、該当するフィルタのフィルタ特性を迅速に検出してフィルタ係数の設定を決定・変更することができる。
【発明の効果】
【００２８】
本発明に係るフィルタ特性決定装置およびフィルタ特性決定プログラムでは、表示手段に表示される台形図形の天井部、スロープ部あるいは角部をタップ操作またはドラッグ操作することによって、フィルタ処理に用いられるフィルタで設定されるゲイン、カットオフ周波数またはフィルタ係数を簡単に決定・変更することができる。
【００２９】
さらに、本発明に係るフィルタ特性決定装置およびフィルタ特性決定プログラムでは、ドラッグ操作に応じて台形図形を変更させると、変更に伴ってフィルタのゲイン、カットオフ周波数またはフィルタ係数を変更することができる。このため、表示手段に表示される台形図形を変更することにより、直感的にフィルタ特性を変更できるだけでなく、フィルタ特性の変更を台形図形の変化により視覚的に確認できる。さらに、スピーカ等より出力される音響信号音によって聴覚的に確認することが可能になる。
【図面の簡単な説明】
【００３０】
【図１】実施の形態に係る音響処理装置の概略構成を示したブロック図である。
【図２】（ａ）は、実施の形態に係る第１ＨＰＦ部、第２ＨＰＦ部および第３ＨＰＦ部のフィルタ特性の一例を示した図であり、（ｂ）は、実施の形態に係る第１ＬＰＦ部、第２ＬＰＦ部および第３ＬＰＦ部のフィルタ特性の一例を示した図である。
【図３】（ａ）は、実施の形態に係るフィルタ処理部のフィルタ特性を３つの台形図形により模式的に示した図であり、（ｂ）は、真ん中の台形図形を拡大して示すと共にタッチアイコンが表示された状態を示した図である。
【図４】実施の形態に係る制御部の処理内容を示したフローチャートである。
【図５】図３（ｂ）に示す台形図形の天井部のタッチアイコンがタップ操作され、その直後に、タップ操作されたタッチアイコンがドラッグ操作される操作過程を示した図である。
【図６】図３（ｂ）に示す台形図形の右側角部のタッチアイコンがタップ操作され、その直後に、右側のスロープ部のバーアイコンが円弧を描くようにしてドラッグ操作される操作過程を示した図である。
【図７】（ａ）は図６に示した操作過程において、バーアイコンが水平になるまでドラッグ操作された状態を示した図であり、（ｂ）は、予め決められたスロープ部の傾斜角度を示した図である。
【図８】（ａ）は、実施の形態に係る記録部に記録されるハイパスフィルタのフィルタ特性を示した図であり、（ｂ）は、記録部に記録されるローパスフィルタのフィルタ特性を示した図である。
【図９】図３（ｂ）に示す台形図形の右側のスロープ部のタッチアイコンがタップ操作され、その直後に、タップ操作されたタッチアイコンが左右にドラッグ操作される操作過程を説明した図である。
【発明を実施するための形態】
【００３１】
以下、本発明に係るフィルタ特性決定装置に関し、音響処理装置を一例として示すと共に、図面を用いて詳細に説明する。図１は、本実施の形態に係る音響処理装置の概略構成を示したブロック図である。
【００３２】
音響処理装置（フィルタ特性決定装置）１は、フィルタ処理部１０と、ツイータ１４と、フルレンジスピーカ１５と、サブウーハー１６と、画像メモリ部（表示手段）３１と、表示モニタ（表示手段）３２と、タッチパネル部（タッチ操作検出手段）３３と、記録部（フィルタ記録手段）３４と、制御部（台形図形作成手段、フィルタ特性決定手段）３５と、ＲＡＭ（Random Access Memory）３６と、ＲＯＭ（Read Only Memory）３７とを有している。
【００３３】
ツイータ１４は、高域の音響出力を行うためのスピーカである。フルレンジスピーカ１５は、低域から高域までバランス良く音響出力を行うことが可能なスピーカである。サブウーハー１６は、低域の音響出力を行うためのスピーカである。ツイータ１４、フルレンジスピーカ１５およびサブウーハー１６では、出力に適した周波数帯域が異なっている。このため、フィルタ処理部１０は、各スピーカ１４〜１６に最適な周波数帯域に、音源の音響信号を分割する役割を有している。
【００３４】
フィルタ処理部１０は、図１に示すように、第１ＨＰＦ部２１と、第２ＨＰＦ部２２と、第３ＨＰＦ部２３と、第１ＬＰＦ部２４と、第２ＬＰＦ部２５と、第３ＬＰＦ部２６と、第１アンプ部１１と、第２アンプ部１２と、第３アンプ部１３とにより概略構成される。音源からの音響信号は、第１ＨＰＦ部２１と、第２ＨＰＦ部２２と、第３ＨＰＦ部２３とに入力される。
【００３５】
各ＨＰＦ部２１〜２３は、カットオフ周波数を基準として高域側の信号出力を許容し、低域側の出力を制限するフィルタ（ハイパスフィルタ）である。図２（ａ）は、第１ＨＰＦ部２１、第２ＨＰＦ部２２および第３ＨＰＦ部２３のフィルタ特性の一例を示した図である。第３ＨＰＦ部２３のカットオフ周波数ＳＨ３は、第２ＨＰＦ部２２のカットオフ周波数ＳＨ２よりも低い周波数の値に設定され、第２ＨＰＦ部２２のカットオフ周波数ＳＨ２は、第１ＨＰＦ部２１のカットオフ周波数ＳＨ１よりも低い周波数の値に設定されている。
【００３６】
また、第１ＨＰＦ部２１〜第３ＨＰＦ部２３において設定されるカットオフ周波数およびフィルタ係数は、制御部３５より受信するフィルタ係数および後述するカットオフ周波数情報に基づいて、決定・変更・設定される。第１ＨＰＦ部２１〜第３ＨＰＦ部２３によりハイパスフィルタ処理された音響信号は、それぞれ、第１ＬＰＦ部２４〜第３ＬＰＦ部２６へ出力される。
【００３７】
各ＬＰＦ部２４〜２６は、カットオフ周波数を基準として低域側の信号出力を許容し、高域側の出力を制限するフィルタ（ローパスフィルタ）である。図２（ｂ）は、第１ＬＰＦ部２４、第２ＬＰＦ部２５および第３ＬＰＦ部２６のフィルタ特性の一例を示した図である。第３ＬＰＦ部２６のカットオフ周波数ＳＬ３は、第２ＬＰＦ部２５のカットオフ周波数ＳＬ２よりも低い周波数の値に設定され、第２ＬＰＦ部２５のカットオフ周波数ＳＬ２は、第１ＬＰＦ部２４のカットオフ周波数ＳＬ１よりも低い周波数の値に設定されている。
【００３８】
また、第１ＬＰＦ部２４〜第３ＬＰＦ部２６において設定されるカットオフ周波数およびフィルタ係数は、制御部３５より受信するフィルタ係数および後述するカットオフ周波数情報に基づいて、決定・変更・設定される。第１ＬＰＦ部２４〜第３ＬＰＦ部２６によりローパスフィルタ処理された音響信号は、それぞれ、第１アンプ部１１〜第３アンプ部１３へ出力される。
【００３９】
第１アンプ部１１〜第３アンプ部１３は、第１ＬＰＦ部２４〜第３ＬＰＦ部２６より出力された各音響信号のゲインを設定・調整する役割を行う。第１アンプ部１１〜第３アンプ部１３において設定・調整されるゲインは、制御部３５より受信する後述のゲイン情報に基づいて、決定・変更・設定される。それぞれのアンプ部１１〜１３でゲイン調整された音響信号は、ツイータ１４、フルレンジスピーカ１５およびサブウーハー１６へ出力される。
【００４０】
画像メモリ部３１は、表示モニタ３２に表示するための画像データを一時的に格納する役割を有している。画像メモリ部３１では、制御部３５により作成される後述する台形図形の画像データを記録する。画像メモリ部３１に記録された画像データは、順次、表示モニタ３２に表示される。
【００４１】
表示モニタ３２は、制御部３５で生成された画像データを、ユーザに視認可能に表示する役割を有している。表示モニタ３２として、例えば、液晶モニタやＣＲＴモニタなどを具体的に用いることができる。
【００４２】
タッチパネル部３３は、ユーザが指で表示モニタ３２の画面上をタッチ操作したか否かを判断し、タッチ操作されたと判断した場合には、タッチ位置に基づいてユーザによる入力処理の内容を判断する役割を有している。タッチパネル部３３は、タッチ検出部（タッチ操作検出手段）３３ａと、タッチコントロール部（タッチ操作検出手段）３３ｂとを有している。
【００４３】
タッチ検出部３３ａは、表示モニタ３２の表面に積層される透明のタッチスイッチなどにより構成されている。タッチ検出部３３ａは、表示モニタ３２の表示画面におけるタッチ操作の有無を、静電方式や感圧方式などの検出方式に基づいて検出する。タッチ検出部３３ａは、透明のタッチスイッチなどにより構成されるため、ユーザは、タッチ検出部３３ａを介して表示モニタ３２に表示される画像を視認することが可能となっている。
【００４４】
タッチコントロール部３３ｂは、タッチ検出部３３ａと表示モニタ３２との間に介在されている。タッチコントロール部３３ｂは、タッチ検出部３３ａにおいて検出した信号（タッチ操作による信号）に基づいて、表示モニタ３２におけるタッチ位置を短い検出間隔で検出（サンプリング）し、制御部３５へ出力する。タッチコントロール部３３ｂでは、検出されたタッチ位置と、そのタッチ位置の時間変化などに基づいて、ユーザが、タップ操作を行ったのか、ドラッグ操作を行ったのかを判断することが可能となっている。
【００４５】
ここで、タップ操作とは、表示モニタ３２に表示されるアイコン等を指等で短時間だけタッチする（触れる）操作を意味する。また、ドラッグ操作とは、表示モニタ３２に表示されるアイコン等を指等でタッチした（触った）まま、指等を滑らせるようにしてアイコン等を移動させる操作を意味する。つまり、タッチパネル部３３では、タッチ操作として、タップ操作とドラッグ操作との２種類の操作を検出することが可能となる。
【００４６】
記録部３４は、フィルタ処理部１０によるフィルタ処理に用いられる複数のフィルタの周波数特性（フィルタ特性、フィルタ係数）を記録する役割を有している。記録部３４は、ハードディスク、ＳＳＤ、ＳＤカードなどの一般的な補助記憶装置により構成される。記録部３４には、ＨＰＦ部２１〜２３およびＬＰＦ部２４〜２６のそれぞれのフィルタ処理に対応可能な複数のフィルタが記録される。
【００４７】
制御部３５は、一般的なＣＰＵ（Central Processing Unit）等により構成される。制御部３５は、ＨＰＦ部２１〜２３およびＬＰＦ部２４〜２６に用いられるフィルタの周波数特性（フィルタ特性）を模式的に示した台形図形を作成すると共に、タッチパネル部３３により検出されたタッチ操作に応じて、台形図形の形状を変更する役割を有している。
【００４８】
具体的に、制御部３５は、第１ＨＰＦ部２１および第２ＬＰＦ部２４において用いられるハイパスフィルタとローパスフィルタとのフィルタ特性と、第１アンプ部１１において設定されるゲイン特性とが合わされたフィルタの周波数特性（フィルタ特性）に該当する台形図形を作成する。また、制御部３５は、第２ＨＰＦ部２２および第２ＬＰＦ部２５において用いられるフィルタ特性と、第２アンプ部１２において設定されるゲイン特性とが合わされたフィルタの周波数特性（フィルタ特性）に該当する台形図形を作成する。さらに、制御部３５は、第３ＨＰＦ部２３および第３ＬＰＦ部２６において用いられるフィルタ特性と、第３アンプ部１３において設定されるゲイン特性とが合わされたフィルタの周波数特性（フィルタ特性）に該当する台形図形を作成する。
【００４９】
ここで、台形図形は、図３（ａ）に示すように、フィルタの周波数特性におけるゲインの高さを水平直線によって近似的に示した天井部と、フィルタの周波数特性における立ち上がり状態あるいは立ち下がり状態を傾斜直線により近似的に示したスロープ部とにより形成されている。台形図形の低域側のスロープ部は、ＨＰＦ部２１〜２３における立ち上がり状態のスロープに該当し、高域側のスロープ部は、ＬＰＦ部２４〜２６における立ち下がり状態のスロープに該当する。また、低域側のスロープ部と天井部とが連結された左側の角部は、ＨＰＦ部２１〜２３におけるカットオフ周波数の周波数値に対応し、高域側のスロープ部と天井部とが連結された右側の角部は、ＬＰＦ部２４〜２６におけるカットオフ周波数の周波数値に対応している。
【００５０】
ＲＡＭ３６は、制御部３５の作業エリアとしての役割を有している。例えば、タッチパネル部３３により検出されたタッチ操作に応じて、台形図形の形状を変更する場合に、検出されたタッチ操作の内容等を一時的に記録させたり、スロープ部の傾斜角度に関する情報などを記録するために利用される。
【００５１】
また、ＲＯＭ３７は、制御部３５において実行される各種のプログラム等が記録されている。制御部３５は、ＲＯＭ３７よりプログラムを読み込んで実行することにより各種の制御処理を行うことが可能となる。例えば、ＲＯＭ３７には、次述する図４に示すようなプログラムが記録される。
【００５２】
図３（ａ）は、フィルタ処理部１０におけるフィルタの周波数特性（フィルタ特性）を、上述した台形図形によって示した図である。図３（ａ）では、３つの台形図形が示されている。図３（ａ）に示す左側の台形図形は、サブウーハー１６用のフィルタの周波数特性を示した図であり、真ん中の台形図形は、フルレンジスピーカ１５用のフィルタの周波数特性を示した図であり、右側の台形図形は、ツイータ１４用のフィルタの周波数特性を示した図である。
【００５３】
左側の台形図形における左側半分（天井部および左側スロープ部）は、第３ＨＰＦ部２３において設定されるフィルタのフィルタ特性を模式的に示したものである。左側の台形図形における右側半分（天井部および右側スロープ部）は、第３ＬＰＦ部２６において設定されるフィルタのフィルタ特性を模式的に示したものである。また、左側の台形図形における天井部の高さは、第３アンプ部１３で設定されるゲインの値を模式的に示したものである。
【００５４】
真ん中の台形図形における左側半分（天井部および左側スロープ部）は、第２ＨＰＦ部２２において設定されるフィルタのフィルタ特性を模式的に示したものである。真ん中の台形図形における右側半分（天井部および右側スロープ部）は、第２ＬＰＦ部２５において設定されるフィルタのフィルタ特性を模式的に示したものである。また、真ん中の台形図形における天井部の高さは、第２アンプ部１２で設定されるゲインの値を模式的に示したものである。
【００５５】
右側の台形図形における左側半分（天井部および左側スロープ部）は、第１ＨＰＦ部２１において設定されるフィルタのフィルタ特性を模式的に示したものである。右側の台形図形における右側半分（天井部および右側スロープ部）は、第１ＬＰＦ部２４において設定されるフィルタのフィルタ特性を模式的に示したものである。また、右側の台形図形における天井部の高さは、第１アンプ部１１で設定されるゲインの値を模式的に示したものである。
【００５６】
ユーザは、タッチパネル部３３を用いて、図３（ａ）に示された３つの台形図形から１つの台形図形を選択することが可能となっている。ユーザによって、いずれかの台形図形が選択された場合、制御部３５は、図３（ｂ）に示すように、選択された台形図形が拡大された画像データを作成する。また。制御部３５は、拡大された台形図形の天井部にタッチアイコン４１を表示させ、右側のスロープ部にタッチアイコン４２を表示させ、左側のスロープ部にタッチアイコン４３を表示させ、右側の角部にタッチアイコン４４を表示させ、左側の角部にタッチアイコン４５を表示させるようにして台形図形の画像データを作成する。
【００５７】
制御部３５は、作成した画像データを、画像メモリ部３１へ出力する。画像メモリ部３１に出力された画像データは、表示モニタ３２に表示される。図３（ｂ）では、図３（ａ）に示した３つの台形図形のうち、真ん中の台形図形が選択されて拡大表示された状態が示されている。
【００５８】
次に、制御部３５における処理について説明する。図４は、ユーザによって真ん中の台形図形が選択されて、図３（ｂ）に示すように真ん中の台形図形が表示モニタ３２に拡大表示された状態において、制御部３５で実行される処理内容を示したフローチャートである。
【００５９】
制御部３５は、タッチパネル部３３によるタッチ操作の検出により、次の６種類のタッチ操作が行われたか否かの判断（ステップＳ．１〜ステップＳ．６）を、順番に行う。
【００６０】
まず、制御部３５は、図５（ａ）に示すように、台形図形の天井部に示されたタッチアイコン４１がタップ操作され、その直後に、タップされた天井部のタッチアイコン４１が、図５（ｃ）に示すように、上下にドラッグ操作されたか否かを判断する（ステップＳ.１）。
【００６１】
天井部のタッチアイコン４１のタップ操作およびドラッグ操作が検出されなかった場合（ステップＳ．１においてＮｏの場合）、制御部３５は、図６（ａ）に示すように、台形図形の右側の角部のタッチアイコン４４がタップ操作され、その直後に、図６（ｃ）に示すように、右側のスロープ部のバーアイコン４７が円弧を描くようにしてドラッグ操作されたか否かを判断する（ステップＳ．２）。
【００６２】
右側の角部のタップ操作および右側のスロープ部のドラッグ操作が検出されなかった場合（ステップＳ．２においてＮｏの場合）、制御部３５は、台形図形の左側の角部のタッチアイコン４５がタップ操作され、その直後に、円弧を描くようにして左側のスロープ部がドラッグ操作されたか否かを判断する（ステップＳ．３）。
【００６３】
左側の角部のタップ操作および左側のスロープ部のドラッグ操作が検出されなかった場合（ステップＳ．３においてＮｏの場合）、制御部３５は、図９（ａ）に示すように、台形図形の右側のスロープ部のタッチアイコン４２がタップ操作され、その直後に、図９（ｃ）に示すように、タップされた右側のスロープ部のタッチアイコン４２が左右にドラッグ操作されたか否かを判断する（ステップＳ.４）。
【００６４】
右側のスロープ部のタップ操作およびドラッグ操作が検出されなかった場合（ステップＳ．４においてＮｏの場合）、制御部３５は、台形図形の左側のスロープ部のタッチアイコン４３がタップ操作され、その直後にタップされた左側のスロープ部のタッチアイコン４３が左右にドラッグ操作されたか否かを判断する（ステップＳ.５）。
【００６５】
そして、左側のスロープ部のタップ操作およびドラッグ操作が検出されなかった場合（ステップＳ．５においてＮｏの場合）、制御部３５は、タッチパネル部３３によって、台形図形の天井部と、左右のスロープ部と、左右の角部に該当する位置に表示されるタッチアイコン４１〜４５以外の場所がタッチ操作されたか否かを判断する（ステップＳ．６）。
【００６６】
タッチアイコン４１〜４５以外の場所がタッチ操作されなかった場合（ステップＳ．６においてＮｏの場合）、制御部３５は、図３（ｂ）に示すように、台形図形の天井部と、左右のスロープ部と、左右の角部に該当する位置に、タッチ操作の目印となるタッチアイコン４１〜４５を表示し、真ん中の台形図形が拡大表示された画像データを作成して、画像メモリ部３１へ出力する（ステップＳ．９）。画像メモリ部３１へ出力された台形図形の画像データは、表示モニタ３２に表示される。その後、制御部３５は、処理を上述したステップＳ．１に移行して、繰り返しタッチパネル部３３によるタッチ操作の検出処理を実行する。
【００６７】
次に、上述したタッチ操作の判断内容（ステップＳ．１〜ステップＳ．６）に基づく、制御部３５の処理について説明する。
【００６８】
［天井部のタッチアイコンのタップ操作およびドラッグ操作が検出された場合］
天井部のタッチアイコン４１のタップ操作およびドラッグ操作が検出された場合（ステップＳ．１においてＹｅｓの場合）、制御部３５は、天井部のタッチアイコン４１のタップ操作およびドラッグ操作に対応する台形図形を作成し、ゲイン情報をアンプ部に出力する処理を行う（ステップＳ．８）。
【００６９】
より詳細には、図５（ａ）に示すような天井部のタッチアイコン４１のタップ操作に基づいて、図５（ｂ）に示すように、選択された台形図形のうち天井部以外のタッチアイコン４２〜４５の表示を消去して、天井部のタッチアイコン４１だけを表示させると共に、天井部のタッチアイコン４１に対して上下方向の矢印を重畳表示させた台形図形の画像データを作成して、画像メモリ部３１へ出力する。そして、制御部３５は、天井部のタッチアイコン４１の上下方向へのドラッグ操作に応じて、図５（ｃ）に示すように、台形図形の天井部の高さ位置を変更させた台形図形の画像データを作成して、画像メモリ部３１へ出力する。画像メモリ部３１へ出力された各画像データは、順次、表示モニタ３２に出力されて表示されることになる。
【００７０】
天井部のタッチアイコン４１の上下方向へのドラッグ操作に応じて、制御部３５では、ドラッグ操作により変更されたゲインの値を求めて、決定されたゲインの値に関する情報（以下、ゲイン情報と称する）を、選択された台形図形に該当するアンプ部１１〜１３のいずれかのアンプ部に対して出力する。
【００７１】
ゲインの値は、天井部のタッチアイコン４１のドラッグ操作により変更された台形図形の高さの値によって決定される。具体的には、図５（ａ）〜（ｃ）に示す台形図形は、縦軸がゲインの値を示している。台形図形の天井部のタッチアイコン４１を上下方向にドラッグすることにより、台形図形の高さが変わると共に、ゲインの値が上下に変化することになる。従って、制御部３５は、天井部のタッチアイコン４１のドラッグ操作に伴って変更された台形図形の高さの値に対応するゲインの値を繰り返し求めることにより、ドラッグ操作に伴って変更されるゲインの値を決定する。
【００７２】
制御部３５は、ゲインの値を決定する毎に、選択された台形図形に対応するアンプ部にゲイン情報を出力する。上述したように、図３（ｂ）では、真ん中の台形図形が選択されて拡大表示されている。この場合、制御部３５は、真ん中の台形図形に該当するフルレンジスピーカ１５用の第２アンプ部１２を、対応するアンプ部と判断する。そして、制御部３５は、ゲイン情報を第２アンプ部１２へ出力する。第２アンプ部１２では、制御部３５より受信したゲイン情報に基づいて、第２アンプ部１２におけるゲイン設定を変更する。この変更によって、フルレンジスピーカ１５から出力される音のゲインを、天井部におけるタッチアイコン４１のドラッグ操作に連動させて、リアルタイムに変更させることが可能となる。
【００７３】
天井部におけるタッチアイコン４１のドラッグ操作が終了すると（タッチパネル部３３においてタッチ操作を検出しなくなった場合）、制御部３５は、図３（ｂ）に示すように、台形図形の天井部と、左右のスロープ部と、左右の角部に該当する位置に、タッチ操作の目印となるタッチアイコン４１〜４５を表示し、真ん中の台形図形が拡大表示された画像データを作成して、画像メモリ部３１へ出力する（ステップＳ．９）。画像メモリ部３１へ出力された台形図形の画像データは、表示モニタ３２に表示される。
【００７４】
その後、制御部３５は、処理を上述したステップＳ．１に移行して、繰り返しタッチパネル部３３によるタッチ操作の検出処理を実行する。
【００７５】
［右側の角部のタップ操作および右側のスロープ部のドラッグ操作が検出された場合］
右側の角部のタップ操作および右側のスロープ部のドラッグ操作が検出された場合（ステップＳ．２においてＹｅｓの場合）、制御部３５は、右側の角部のタップ操作および右側のスロープ部のドラッグ操作に対応する台形図形を作成して、フィルタ係数をＬＰＦ部に出力する処理を行う（ステップＳ．１０）。
【００７６】
より詳細には、図６（ａ）に示すような右側の角部におけるタッチアイコン４４のタップ操作に基づいて、図６（ｂ）に示すように、選択された台形図形のうち右側の角部以外のタッチアイコン４１〜４３,４５の表示を消去して、右側の角部のタッチアイコン４４だけを表示させ、さらに、右側のスロープ部の傾斜状態を強調するバーアイコン４７を表示させるとともに、スロープ部のドラッグ方向を円弧で示した矢印をバーアイコン４７に重畳させた台形図形の画像データを作成して、画像メモリ部３１へ出力する。そして、制御部３５は、バーアイコン４７のドラッグ操作に応じて、図６（ｃ）に示すように、台形図形のバーアイコン４７およびスロープ部の傾斜角度を変更させた台形図形の画像データを作成して、画像メモリ部３１へ出力する。
【００７７】
ここで、バーアイコン４７のドラッグ操作に応じて、変更されるバーアイコン４７およびスロープ部の傾斜角度は、予め決められている。図７（ｂ）は、予め決められた傾斜角度を示した図であり、０度と、−６ｄＢ／ｏｃｔ,−１２ｄＢ／ｏｃｔ,−１８ｄＢ／ｏｃｔ,−２４ｄＢ／ｏｃｔ,−３６ｄＢ／ｏｃｔ,−４８ｄＢ／ｏｃｔ,−７２ｄＢ／ｏｃｔに該当する角度との８パターンの傾斜角度が予め設定されている。
【００７８】
従って、制御部３５は、ドラッグ操作に基づいて変更されるバーアイコン４７およびスロープ部の傾斜角度が、上述した８パターンのうちどの傾斜角度に近似する角度であるかを判断して、台形図形の右側のスロープ部の傾斜角度を変更した台形図形の画像データを作成し、画像メモリ部３１へ出力する。画像メモリ部３１へ出力された各画像データは、順次、表示モニタ３２に出力されて表示される。
【００７９】
そして、制御部３５では、上述した０度以外の７パターンのうち該当する傾斜角度に対応する立ち下がり状態を示すフィルタを、記録部３４に記録されるフィルタの周波数特性に基づいて決定する。制御部３５は、決定されたフィルタのフィルタ係数を、選択された台形図形に該当するＬＰＦ部２４〜２６のいずれかに出力する。
【００８０】
ここで、記録部３４には、上述した０度以外の７パターンの傾斜角度に対応する立ち下がり状態を備えたフィルタが予め記録されている。具体的には、図８（ａ）に示すように、−６ｄＢ／ｏｃｔ,−１２ｄＢ／ｏｃｔ,−１８ｄＢ／ｏｃｔ,−２４ｄＢ／ｏｃｔ,−３６ｄＢ／ｏｃｔ,−４８ｄＢ／ｏｃｔ,−７２ｄＢ／ｏｃｔに該当する角度に対応する立ち下がりの周波数特性（フィルタ特性）を備えるフィルタが予め記録されている。従って、制御部３５では、ドラッグ操作に基づいて傾斜角度が０度以外の７パターンのうちどのパターンに変更された場合であっても、瞬時に該当するフィルタのフィルタ係数を求めることができる。
【００８１】
制御部３５は、フィルタ係数を決定する毎に、選択された台形図形に対応するＬＰＦ部にフィルタ係数を出力する。上述したように、図３（ｂ）では、真ん中の台形図形が選択されて拡大表示されている。この場合、制御部３５は、真ん中の台形図形に該当するフルレンジスピーカ１５用の第２ＬＰＦ部２５を、対応するＬＰＦ部と判断する。そして、制御部３５は、フィルタ係数を第２ＬＰＦ部２５へ出力する。第２ＬＰＦ部２５では、制御部３５より受信したフィルタ係数に基づいて、第２ＬＰＦ部２５におけるフィルタのフィルタ係数を変更する。この変更によって、フルレンジスピーカ１５から出力される音の高域側の周波数範囲を、右側のスロープ部におけるバーアイコン４７のドラッグ操作に連動させて変更させることが可能となる。
【００８２】
なお、図７（ａ）に示すように、ユーザが、右側のスロープ部のバーアイコン４７を水平になるまでドラッグした場合、制御部３５は、傾斜角度が０度であると判断する。傾斜角度が０度である場合には、ユーザが高域側の周波数制限を望んでいないと判断することができる。このため、バーアイコン４７のドラッグ操作により、０度の傾斜角度が決定された場合、制御部３５は、高域側の周波数を制限するようなフィルタ処理を行わない旨の情報を、第２ＬＰＦ部２５に出力する。第２ＬＰＦ部２５では、受信した情報に基づき、フィルタ処理を行わない。
【００８３】
右側のスロープ部におけるバーアイコン４７のドラッグ操作が終了すると、制御部３５は、図３（ｂ）に示すように、台形図形の天井部と、左右のスロープ部と、左右の角部に該当する位置に、タッチアイコン４１〜４５を表示し、真ん中の台形図形が拡大表示された画像データを作成して、画像メモリ部３１へ出力する（ステップＳ．９）。画像メモリ部３１へ出力された台形図形の画像データは、表示モニタ３２に表示される。
【００８４】
その後、制御部３５は、処理を上述したステップＳ．１に移行して、繰り返しタッチパネル部３３によるタッチ操作の検出処理を実行する。
【００８５】
［左側の角部のタップ操作および左側のスロープ部のドラッグ操作が検出された場合］
左側の角部のタップ操作および左側のスロープ部のドラッグ操作が検出された場合（ステップＳ．３においてＹｅｓの場合）、制御部３５は、左側の角部のタップ操作および左側のスロープ部のドラッグ操作に対応する台形図形を作成して、フィルタ係数をＨＰＦ部に出力する処理を行う（ステップＳ．１１）。左側の角部のタップ操作および左側のスロープ部のドラッグ操作に対応する台形図形を作成する処理は、右側の角部のタップ操作および右側のスロープ部のドラッグ操作に対応する台形図形を作成する処理に対して、左右が逆になるように台形図形を作成する点で異なるだけであって、実質的に同じ処理を行うことになる。
【００８６】
なお、左側のバーアイコンのドラッグ操作に応じて変更される、左側のバーアイコンおよび左側スロープ部の傾斜角度は、ステップＳ．１０で説明したパターンと符号の異なる８パターンに、予め決められている。具体的には、０度と、６ｄＢ／ｏｃｔ,１２ｄＢ／ｏｃｔ,１８ｄＢ／ｏｃｔ,２４ｄＢ／ｏｃｔ,３６ｄＢ／ｏｃｔ,４８ｄＢ／ｏｃｔ,７２ｄＢ／ｏｃｔに該当する角度との８パターンの傾斜角度が予め設定されている。
【００８７】
従って、制御部３５は、ドラッグ操作に基づいて変更されるバーアイコンおよびスロープ部の傾斜角度が、上述した８パターンのうちどの傾斜角度に近似する角度であるかを判断して、台形図形の左側のスロープ部の傾斜角度を変更した台形図形の画像データを作成し、画像メモリ部３１へ出力する。画像メモリ部３１へ出力された各画像データは、順次、表示モニタ３２に出力されて表示される。
【００８８】
そして、制御部３５では、ステップＳ．１０と逆の符号になる０度以外の７パターンのうち該当する傾斜角度に対応する立ち上がり状態を示すフィルタを、記録部３４に記録されるフィルタの周波数特性に基づいて決定する。制御部３５は、決定されたフィルタのフィルタ係数を、選択された台形図形に該当するＨＰＦ部２１〜２３のいずれかに出力する。
【００８９】
ここでも、記録部３４には、ステップＳ．１０と逆の符号になる０度以外の７パターンの傾斜角度に対応する立ち上がり状態を備えたフィルタが予め記録されている。具体的に、記録部３４には、図８（ｂ）に示すように、６ｄＢ／ｏｃｔ,１２ｄＢ／ｏｃｔ,１８ｄＢ／ｏｃｔ,２４ｄＢ／ｏｃｔ,３６ｄＢ／ｏｃｔ,４８ｄＢ／ｏｃｔ,７２ｄＢ／ｏｃｔに該当する角度に対応する立ち上がりの周波数特性（フィルタ特性）を備えるフィルタが予め記録されている。従って、制御部３５では、ドラッグ操作に基づいて傾斜角度が０度以外の７パターンのうちどのパターンに変更された場合であっても、瞬時に該当するフィルタのフィルタ係数を求めることができる。
【００９０】
制御部３５は、フィルタ係数を決定する毎に、選択された台形図形に対応するＨＰＦ部にフィルタ係数を出力する。上述したように、図３（ｂ）では、真ん中の台形図形が選択されて台形図形が拡大表示されている。この場合、制御部３５は、真ん中の台形図形に該当するフルレンジスピーカ１５用の第２ＨＰＦ部２２を、対応するＨＰＦ部と判断する。そして、制御部３５は、フィルタ係数を第２ＨＰＦ部２２へ出力する。第２ＨＰＦ部２２では、制御部３５より受信したフィルタ係数に基づいて、第２ＨＰＦ部２２におけるフィルタのフィルタ係数を変更する。この変更によって、フルレンジスピーカ１５から出力される音の低域側の周波数範囲を、左側のスロープ部におけるバーアイコンのドラッグ操作に連動させて変更させることが可能となる。
【００９１】
なお、ステップＳ．１０と同様に、傾斜角度が０度である場合には、ユーザが低域側の周波数制限を望んでいないと判断することができる。このため、バーアイコンのドラッグ操作により、０度の傾斜角度が決定された場合、制御部３５は、低域側の周波数を制限するようなフィルタ処理を行わない旨の情報を、第２ＨＰＦ部２２に出力する。第２ＨＰＦ部２２では、受信した情報に基づき、フィルタ処理を行わない。
【００９２】
左側のスロープ部におけるバーアイコンのドラッグ操作が終了すると、制御部３５は、図３（ｂ）に示すように、台形図形の天井部と、左右のスロープ部と、左右の角部に該当する位置に、タッチ操作の目安となるタッチアイコン４１〜４５を表示し、真ん中の台形図形が拡大表示された画像データを作成して、画像メモリ部３１へ出力する（ステップＳ．９）。画像メモリ部３１へ出力された台形図形の画像データは、表示モニタ３２に表示される。
【００９３】
その後、制御部３５は、処理を上述したステップＳ．１に移行して、繰り返しタッチパネル部３３によるタッチ操作の検出処理を実行する。
【００９４】
［右側のスロープ部のタップ操作およびドラッグ操作が検出された場合］
右側のスロープ部のタップ操作およびドラッグ操作が検出された場合（ステップＳ．４においてＹｅｓの場合）、制御部３５は、右側のスロープ部のタップ操作およびドラッグ操作に対応する台形図形を作成し、カットオフ周波数情報をＬＰＦ部に出力する処理を行う（ステップＳ．１２）。
【００９５】
より詳細には、図９（ａ）に示すような右側のスロープ部におけるタッチアイコン４２のタップ操作に基づいて、図９（ｂ）に示すように、選択された台形図形のうち右側のスロープ以外のタッチアイコン４１,４３〜４５の表示を消去して、右側のスロープ部のタッチアイコン４２だけを表示させると共に、右側のスロープ部のタッチアイコン４２に対して左右方向の矢印を重畳表示させた台形図形の画像データを作成して、画像メモリ部３１へ出力する。そして、制御部３５は、右側のスロープ部におけるタッチアイコン４２の左右方向へのドラッグ操作に応じて、図９（ｃ）に示すように、台形図形の天井部の高さ（ゲイン）と右側のスロープ部の傾斜角度とを維持したままの状態で、右側のスロープ部を左右にスライド（移動）させた台形図形の画像データを作成して、画像メモリ部３１へ出力する。画像メモリ部３１へ出力された各画像データは、順次、表示モニタ３２に出力されて表示される。
【００９６】
右側のスロープ部におけるタッチアイコン４２の左右方向へのドラッグ操作に応じて、制御部３５では、ドラッグ操作により変更されたカットオフ周波数の値を求める。さらに、制御部３５は、求められたカットオフ周波数の値に関する情報（以下、カットオフ周波数情報と称する）を、選択された台形図形に該当するＬＰＦ部２４〜２６のいずれかのＬＰＦ部に対して出力する処理を行う。
【００９７】
カットオフ周波数の値は、右側のスロープ部のタッチアイコン４２のドラッグ操作により変更された台形図形の右側の角部の左右位置（周波数位置）によって決定される。具体的には、図９（ａ）〜（ｃ）に示す台形図形は、横軸が周波数の値を示しており、台形図形の右側のスロープ部のタッチアイコン４２を左右方向にドラッグすることにより、スロープ部の傾斜角度を維持したままスロープ部が左右にスライド（移動）されることになる、このため、右側のスロープ部の左右移動に伴って、右側の角部の周波数が左右に移動されて、右側の角部で示されるＬＰＦ部２４〜２６のカットオフ周波数の値が変化することになる。従って、制御部３５は、右側のスロープ部のタッチアイコン４２のドラッグ操作により変更された右側の角部の移動位置（周波数位置）に対応するカットオフ周波数の値を繰り返し求めることにより、ドラッグ操作に伴って変更されるカットオフ周波数の値を決定する。
【００９８】
制御部３５は、カットオフ周波数の値を決定する毎に、選択された台形図形に対応するＬＰＦ部にカットオフ周波数情報を出力する。上述したように、図３（ｂ）では、真ん中の台形図形が選択されて台形図形が拡大表示されている。この場合、制御部３５は、真ん中の台形図形に該当するフルレンジスピーカ１５用の第２ＬＰＦ部２５を、対応するＬＰＦ部と判断する。そして、制御部３５は、カットオフ周波数情報を第２ＬＰＦ部２５へ出力する。第２ＬＰＦ部２５では、制御部３５より受信したカットオフ周波数に基づいて、第２ＬＰＦ部２５におけるカットオフ周波数を変更する。この変更によって、フルレンジスピーカ１５から出力される音の高域側の周波数を、右側のスロープ部におけるタッチアイコン４２のドラッグ操作に連動させて変更させることが可能となる。
【００９９】
右側のスロープ部におけるタッチアイコンのドラッグ操作が終了すると、制御部３５は、図３（ａ）に示すように、台形図形の天井部と、左右のスロープ部と、左右の角部に該当する位置に、タッチ操作の目安となるタッチアイコン４１〜４５を表示し、真ん中の台形図形が拡大表示された画像データを作成して、画像メモリ部３１へ出力する（ステップＳ．９）。画像メモリ部３１へ出力された台形図形の画像データは、表示モニタ３２に表示される。
【０１００】
その後、制御部３５は、処理を上述したステップＳ．１に移行して、繰り返しタッチパネル部３３によるタッチ操作の検出処理を実行する。
【０１０１】
［左側のスロープ部のタップ操作およびドラッグ操作が検出された場合］
左側のスロープ部のタップ操作およびドラッグ操作が検出された場合（ステップＳ．５においてＹｅｓの場合）、制御部３５は、左側のスロープ部のタップ操作およびドラッグ操作に対応する台形図形を作成して、カットオフ周波数情報をＨＰＦ部に出力する処理を行う（ステップＳ．１３）。
【０１０２】
左側のスロープ部のタップ操作およびドラッグ操作に対応する台形図形を作成する処理は、右側のスロープ部のタップ操作およびドラッグ操作に対応する台形図形を作成する処理に対して、左右が逆になるように台形図形を作成する点で異なるだけであって、実質的に同じ処理を行うことになる。
【０１０３】
そして、左側のスロープ部におけるタッチアイコン４３の左右方向へのドラッグ操作に応じて、制御部３５では、ドラッグ操作により変更されたカットオフ周波数の値を求めて、求められたカットオフ周波数情報を、選択された台形図形に該当するＨＰＦ部２１〜２３のいずれかのＨＰＦ部に対して出力する処理を行う。
【０１０４】
制御部３５は、右側のスロープ部のタップ操作およびドラッグ操作が検出された場合と同様にして、左側のスロープ部のタッチアイコン４３のドラッグ操作により変更された左側の角部の移動位置（周波数位置）に対応するカットオフ周波数の値を繰り返し求めることにより、ドラッグ操作に伴って変更されるカットオフ周波数の値を決定する。
【０１０５】
制御部３５は、カットオフ周波数の値を決定する毎に、選択された台形図形に対応するＨＰＦ部にカットオフ周波数情報を出力する。上述したように、図３（ａ）では、真ん中の台形図形が選択されて台形図形が拡大表示されている。この場合、制御部３５は、真ん中の台形図形に該当するフルレンジスピーカ１５用の第２ＨＰＦ部２２を、対応するＨＰＦ部と判断する。そして、制御部３５は、カットオフ周波数情報を第２ＨＰＦ部２２へ出力する。第２ＨＰＦ部２２では、制御部３５より受信したカットオフ周波数に基づいて、第２ＨＰＦ部２２におけるカットオフ周波数を変更する。この変更によって、フルレンジスピーカ１５から出力される音の低域側の周波数を、左側のスロープ部におけるタッチアイコン４３のドラッグ操作に連動させて変更させることが可能となる。
【０１０６】
左側のスロープ部におけるタッチアイコン４３のドラッグ操作が終了すると、制御部３５は、図３（ｂ）に示すように、台形図形の天井部と、左右のスロープ部と、左右の角部に該当する位置に、タッチ操作の目安となるタッチアイコン４１〜４５を表示し、真ん中の台形図形が拡大表示された画像データを作成して、画像メモリ部３１へ出力する（ステップＳ．９）。画像メモリ部３１へ出力された台形図形の画像データは、表示モニタ３２に表示される。
【０１０７】
その後、制御部３５は、処理を上述したステップＳ．１に移行して、繰り返しタッチパネル部３３によるタッチ操作の検出処理を実行する。
【０１０８】
［タッチアイコン以外の場所がタッチ操作された場合］
タッチアイコン４１〜４５以外の場所がタッチ操作された場合（ステップＳ．６においてＹｅｓの場合）、制御部３５は、図３（ａ）に示す３つの台形図形から１つの台形図形を選択することが可能な画面表示データを作成して、画像メモリ部３１に出力し（ステップＳ．７）、選択された台形図形に基づくフィルタ係数の調整処理を終了する。
【０１０９】
以上、説明したように、本実施の形態に係る音響処理装置１では、表示モニタ３２に表示された台形図形の天井部のタッチアイコン４１、左右のスロープ部のタッチアイコン等４２,４３,４７、あるいは左右の角部のタッチアイコン４４,４５を、タップ操作およびドラッグ操作することによって、フィルタ処理部１０において設定されるゲイン、カットオフ周波数、フィルタ係数を視覚的に確認しながら設定・変更・決定することができる。
【０１１０】
特に、タッチアイコン等４１〜４５,４７をドラッグ操作して直感的に台形形状を変更することによって、台形図形の変更に対応してゲイン、カットオフ周波数またはフィルタ係数がリアルタイムに変更される。このため、台形図形そのものを変更させることによって、フィルタのフィルタ特性を直接的に変更・設定することが可能である。
【０１１１】
また、音響処理装置１では、タッチアイコン等４１〜４５,４７のドラッグ操作に応じて、リアルタイムに台形図形が変更・表示されると共に、台形図形の変更に伴って、ゲイン、カットオフ周波数またはフィルタ係数がリアルタイムに変更されて、スピーカ１４〜１６より、フィルタ処理された音が出力される。このため、ユーザは表示モニタ３２に表示される台形図形をタッチ操作することによって、直感的に台形形状を変更することができるだけでなく、現状のフィルタ特性および変更しようとするフィルタ特性を台形図形で視覚的に確認することができる。さらに、スピーカ１４〜１６より出力される音によって聴覚的に確認することが可能になる。
【０１１２】
さらに、スピーカ１４〜１６毎に個別に台形図形を選択表示させて、フィルタ特性の設定・変更を行うことができる。このため、他の台形図形と関係なく、選択された台形図形の天井部やスロープ部等のタッチアイコン等４１〜４５,４７のタップ操作およびドラッグ操作によって、スピーカ１４〜１６毎に個別に、フィルタ処理部１０におけるゲイン、ハイパスフィルタのカットオフ周波数、ローパスフィルタのカットオフ周波数、ハイパスフィルタにおけるスロープ特性、ローパスフィルタにおけるスロープ特性を、簡単に設定・変更・決定することが可能になる。
【０１１３】
以上、本発明に係るフィルタ特性決定装置およびフィルタ特性決定プログラムについて説明を行ったが、本発明に係るフィルタ特性決定装置およびフィルタ特性決定プログラムは、実施の形態に示した例には限定されない。当業者であれば、特許請求の範囲に記載された範疇内において、各種の変更例または修正例に想到し得ることは明らかであり、それらについても実施の形態において示した音響処理装置１と同様の効果を奏することが可能である。
【０１１４】
例えば、実施の形態に係る音響処理装置１では、フィルタ処理部１０、ツイータ１４、フルレンジスピーカ１５、サブウーハー１６が構成として含まれる場合について説明した。しかしながら、本発明に係るフィルタ特性決定装置およびフィルタ特性決定プログラムでは、必ずしも、フィルタ処理部１０、ツイータ１４、フルレンジスピーカ１５、サブウーハー１６を構成として含んでいる必要はない。
【０１１５】
近時では、スマートフォンやタブレット端末等を用いて音響処理を行う方法も提案されている。例えば、フィルタ処理部１０およびスピーカ１４〜１６が設けられるオーディオ出力装置に対して、Ｂｌｕｅｔｏｏｔｈ（登録商標）等の無線技術等を用いて、データを送受信可能に接続し、スマートフォン等の表示画面上に、実施の形態に示した台形図形等を表示させ、タップ操作およびドラッグ操作によって台形図形を変更させると同時に、オーディオ出力装置に対してゲイン、フィルタ係数およびカットオフ周波数を出力する構成にすることも可能である。オーディオ出力装置では、受信したゲイン、フィルタ係数およびカットオフ周波数に基づいてフィルタ処理部１０におけるフィルタ特性を変更して、スピーカ１４〜１６より音響信号を出力することにより、音響処理を行うことができる。
【０１１６】
このような構成の場合には、スマートフォンあるいはタブレット端末等が備えるハードウェアによって、実質的に、制御部３５、ＲＡＭ３６、ＲＯＭ３７、記録部３４、画像メモリ部３１、表示モニタ３２およびタッチパネル部３３に該当する機能を実行させることができる。このため、本発明に係るフィルタ特性決定プログラムをスマートフォンあるいはタブレット端末等のアプリケーションソフトとして提供することにより、スマートフォンあるいはタブレット端末等を、本発明に係るフィルタ特性決定装置およびフィルタ特性決定プログラムとして機能させることが可能となる。
【符号の説明】
【０１１７】
１     …音響処理装置（フィルタ特性決定装置）
１０   …フィルタ処理部
１１   …第１アンプ部
１２   …第２アンプ部
１３   …第３アンプ部
１４   …ツイータ
１５   …フルレンジスピーカ
１６   …サブウーハー
２１   …第１ＨＰＦ部
２２   …第２ＨＰＦ部
２３   …第３ＨＰＦ部
２４   …第１ＬＰＦ部
２５   …第２ＬＰＦ部
２６   …第３ＬＰＦ部
３１   …画像メモリ部（表示手段）
３２   …表示モニタ（表示手段）
３３   …タッチパネル部（タッチ操作検出手段）
３３ａ  …タッチ検出部（タッチ操作検出手段）
３３ｂ  …タッチコントロール部（タッチ操作検出手段）
３４   …記録部（フィルタ記録手段）
３５   …制御部（台形図形作成手段、フィルタ特性決定手段）
３６   …ＲＡＭ
３７   …ＲＯＭ
４１〜４５   …タッチアイコン
４７   …バーアイコン
ＳＨ１〜ＳＨ３、ＳＬ１〜ＳＬ３  …カットオフ周波数
【図１】
0006535531.tif 000002
【図２】
0006535531.tif 000003
【図３】
0006535531.tif 000004
【図４】
0006535531.tif 000005
【図５】
0006535531.tif 000006
【図６】
0006535531.tif 000007
【図７】
0006535531.tif 000008
【図８】
0006535531.tif 000009
【図９】
0006535531.tif 000010